(57)【要約】【課題】広帯域の特性を得ることができ、製造誤差のばらつきを抑えることができる導波管マイクロストリップ線路変換器を得る。【解決手段】誘電体基板１０２に対して導波管１０７の管軸方向が垂直となるように誘電体基板１０２の地導体１０４と導波管１０７を接続し、誘電体基板１０２の地導体１０４と導波管１０７が接する面である、導波管１０７のショート面１１１においてスロット１０８を長手方向が広壁面と平行になるように設け、スロット１０８と交差するよう、ストリップ導体１０１を配置し、導波管１０７のショート面１１１を覆うように誘電体基板１０２の表面に設けられた導体板１０３と、導波管１０７のショート面１１１を取り囲むように誘電体基板中に設けられ導体板１０３と地導体１０４を接続する複数の接続導体１０６とを設けた。【選択図】図２
2010056920.tif 000002
【特許請求の範囲】
【請求項１】
導波管を伝搬する電力と、誘電体基板の一方の面に設けられた地導体及び前記誘電体基板の他方の面に設けられたストリップ導体から構成されるマイクロストリップ線路を伝搬する電力とを相互に変換する導波管マイクロストリップ線路変換器であって、
前記誘電体基板に対して前記導波管の管軸方向が垂直となるように前記誘電体基板の地導体と前記導波管を接続し、
前記誘電体基板の一方及び他方の面をＸＹ平面、前記導波管の管軸方向をＺ方向とすると、
前記誘電体基板の地導体と前記導波管が接する面である、前記導波管のショート面においてスロットを長手方向がＹ方向と平行になるように設け、
Ｚ方向において前記スロットと交差するよう、前記ストリップ導体を長手方向がＸ方向と平行になるように配置し、
前記導波管のショート面を覆うように前記誘電体基板の他方の面に設けられた導体板と、
前記導波管のショート面を取り囲むように前記誘電体基板中に設けられ前記導体板と前記地導体を接続する複数の接続導体とを備えた
ことを特徴とする導波管マイクロストリップ線路変換器。
【請求項２】
前記導体板は、前記ストリップ導体が挿入されている切り欠きを有する
ことを特徴とする請求項１記載の導波管マイクロストリップ線路変換器。
【請求項３】
前記ストリップ導体は、一方の先端が前記導体板に接続されている
ことを特徴とする請求項１又は２記載の導波管マイクロストリップ線路変換器。
【請求項４】
前記スロットは、長手方向の端に屈曲部を有する
ことを特徴とする請求項１から請求項３までのいずれかに記載の導波管マイクロストリップ線路変換器。
【請求項５】
前記ストリップ導体は、前記誘電体基板の他方の面に長手方向がＸ方向と平行になるように複数設けられ、
前記導体板は、前記複数のストリップ導体がそれぞれ挿入されている複数の切り欠きを有する
ことを特徴とする請求項１から請求項４までのいずれかに記載の導波管マイクロストリップ線路変換器。
【請求項６】
前記スロットは、前記導波管のショート面において長手方向がＹ方向と平行になるように複数設けられている
ことを特徴とする請求項１から請求項５までのいずれかに記載の導波管マイクロストリップ線路変換器。
【発明の詳細な説明】
【技術分野】
【０００１】
この発明は、マイクロ波やミリ波などの回路に用いることができる導波管マイクロストリップ線路変換器に関し、より詳細には、導波管を伝搬する電力とマイクロストリップ線路を伝搬する電力を相互に変換する導波管マイクロストリップ線路変換器に関するものである。
【背景技術】
【０００２】
導波管マイクロストリップ線路変換器は、導波管とマイクロストリップ線路を接続するために広く用いられる。導波管マイクロストリップ線路変換器として、導波管の広壁面にスロットを設ける構成が提案されている（例えば、非特許文献１参照）。
【０００３】
【非特許文献１】榊原久仁男、斉藤文訓、山本雄大、稲垣直樹、菊間信良、“アンテナ高周波回路接続用マイクロストリップ線路導波管変換器”、電子情報通信学会論文誌、Ｂ，ｖｏｌ．Ｊ８６−Ｂ，Ｎｏ．９，ｐｐ２０１６−２０２０，２００３年９月
【発明の開示】
【発明が解決しようとする課題】
【０００４】
従来の導波管マイクロストリップ線路変換器において、導波管を伝搬する電力を、マイクロストリップ線路を伝搬する電力に効率よく広帯域にわたり変換するには、導波管モードとスロットをより強く結合させるため、導波管壁面において管軸方向の電流が最も強い位置に、その電流と垂直になるようにスロットを設けることが望ましい。つまり、スロットは、導波管のショート面からλｇ／２（λｇ：導波管内の伝搬波長）のｎ倍（ｎは０以上の整数）離れた広壁面の位置に、管軸方向と略垂直になるように設ける必要がある。
【０００５】
ｎ＝０の場合には、導波管のショート面に接するようにスロットを設けるため、導波管の広壁面とショート面により形成されるエッジの影響により所望の結合が得られない。
【０００６】
また、ｎが１以上の場合、スロットからショート面までの長さがλｇ／２のｎ倍とするための長い導波管が必要となり、導波管マイクロストリップ線路変換器が大型になる。またこのとき、スロットの位置がショート面からλｇ／２のｎ倍となるのは設計周波数の場合のみであり、設計周波数から離れた周波数ではショート面からのスロットの位置はλｇ／２のｎ倍とならないため、従来の導波管マイクロストリップ変換器は狭帯域となる。
【０００７】
そして、これらのショート面の影響及び変換器の大型化、狭帯域化の問題を避けるため、ショート面からの距離をλｇ／４以内として配置したスロットの場合、電流は管軸方向と平行にはならないためスロットは効率よく励振されず、導波管モードとマイクロストリップ線路モードの結合が弱くなり、狭帯域となる。
【０００８】
また、従来の導波管マイクロストリップ線路変換器は、マイクロストリップ線路が形成された誘電体基板と導波管を組み合わせて構成されるが、誘電体基板と導波管の組み立て誤差により、導波管壁面におけるスロットの位置がずれる可能性がある。その場合、スロット位置における導波管壁面の電流分布が異なるため、導波管からスロットへの結合特性が変化する。
【０００９】
以上のように、変換器を小形に構成するにはスロットを結合が強くなる理想的な位置に設けることができないため、狭帯域の特性となるという問題点があった。また、組み立て誤差により導波管からスロットへの結合特性が変化するため、製作誤差に対してばらつきが大きいという問題点があった。
【００１０】
この発明は、上述のような課題を解決するためになされたもので、その目的は、広帯域の特性を得ることができるとともに、製造誤差に対するばらつきを抑えることができ、小型化を図った導波管マイクロストリップ線路変換器を得るものである。
【課題を解決するための手段】
【００１１】
この発明に係る導波管マイクロストリップ線路変換器は、導波管を伝搬する電力と、誘電体基板の一方の面に設けられた地導体及び前記誘電体基板の他方の面に設けられたストリップ導体から構成されるマイクロストリップ線路を伝搬する電力とを相互に変換する導波管マイクロストリップ線路変換器であって、前記誘電体基板に対して前記導波管の管軸方向が垂直となるように前記誘電体基板の地導体と前記導波管を接続し、前記誘電体基板の一方及び他方の面をＸＹ平面、前記導波管の管軸方向をＺ方向とすると、前記誘電体基板の地導体と前記導波管が接する面である、前記導波管のショート面においてスロットを長手方向がＹ方向と平行になるように設け、Ｚ方向において前記スロットと交差するよう、前記ストリップ導体を長手方向がＸ方向と平行になるように配置し、前記導波管のショート面を覆うように前記誘電体基板の他方の面に設けられた導体板と、前記導波管のショート面を取り囲むように前記誘電体基板中に設けられ前記導体板と前記地導体を接続する複数の接続導体とを設けたものである。
【発明の効果】
【００１２】
この発明に係る導波管マイクロストリップ線路変換器は、広帯域の特性を得ることができるとともに、製造誤差に対するばらつきを抑えることができ、小型化を図ることができるという効果を奏する。
【発明を実施するための最良の形態】
【００１３】
実施の形態１．
この発明の実施の形態１に係る導波管マイクロストリップ線路変換器について図１から図７までを参照しながら説明する。図１は、この発明の実施の形態１に係る導波管マイクロストリップ線路変換器を上から見た平面を示す図である。また、図２は、図１におけるＡ−Ａ’線から見た断面を示す図である。なお、以降では、各図中、同一符号は同一又は相当部分を示す。また、各実施の形態では、誘電体基板１０２の表面及び裏面をＸＹ平面、導波管１０７の管軸方向をＺ方向として説明する。
【００１４】
図１及び図２において、この発明の実施の形態１に係る導波管マイクロストリップ線路変換器は、正方形や長方形などの四角形の誘電体基板１０２の表面に形成された細長い長方形のストリップ導体１０１と、誘電体基板１０２の表面に形成された切り欠きを有する円形の導体板１０３と、誘電体基板１０２の裏面全体に設けられた地導体１０４と、導体板１０３及び地導体１０４を接続する１１本（複数）の円柱状の接続導体１０６と、方形（四角筒状）の導波管１０７と、導波管１０７のショート面（短絡面）１１１内で地導体１０４に設けられた長方形のスロット１０８とが設けられている。
【００１５】
なお、ストリップ導体１０１及び導体板１０３は、接続部１０５で接続されている。また、ストリップ導体１０１と地導体１０４で形成されたマイクロストリップ線路は、図１に示すように、入出力端１１０を有する。導波管１０７は、図２に示すように、入出力端１０９と、ショート面１１１を有し、管厚などが省略されている。
【００１６】
つぎに、この実施の形態１に係る導波管マイクロストリップ線路変換器の動作について図面を参照しながら説明する。
【００１７】
図３は、一般的なＴＥ１０モード励振され、一方がショートされている導波管のショート面のある瞬間の電流分布を示す図である。
【００１８】
導波管１０７の入出力端１０９から入力された高周波信号は、スロット１０８を励振する。ストリップ導体１０１の片方の先端は、導体板１０３に接続され、また、Ｚ方向においてスロット１０８と交差して配置されるため、励振されたスロット１０８とストリップ導体１０１は磁界結合し、高周波信号はストリップ導体１０１、導体板１０３及び地導体１０４から形成される地導体を有したコプレナー線路を介して、ストリップ導体１０１と地導体１０４で形成されたマイクロストリップ線路の入出力端１１０から出力される。また、導体板１０３と接続導体１０６は、スロット１０８からの放射を抑える。
【００１９】
図３のように、ショート面１１１では、導波管１０７の広壁面（方形の導波管１０７の管軸方向に平行な４つの壁面のうち、管軸方向に垂直でかつ壁面に平行な方向（Ｙ方向）の幅が広い２つの壁面）に対して垂直（広壁面を垂直に貫く方向：Ｘ方向）に電流が流れる。したがって、この実施の形態１のように、導波管１０７のショート面１１１となる地導体１０４に設けたスロット１０８は、ショート面１１１を流れる電流を垂直に遮断することから、導波管１０７とスロット１０８は強く結合する。さらに、スロット１０８上においてストリップ導体１０１が導体板１０３によって短絡されていることから、スロット１０８とストリップ導体１０１も強く結合する。以上のことから、この実施の形態１に係る導波管マイクロストリップ線路変換器は、広帯域の特性となる。
【００２０】
ここで、背景技術で説明した従来の導波管マイクロストリップ線路変換器について説明する。
【００２１】
図４は、従来の導波管マイクロストリップ線路変換器を上から見た平面を示す図である。また、図５は、図４におけるＢ−Ｂ’線から見た断面を示す図である。
【００２２】
図４及び図５において、従来の導波管マイクロストリップ線路変換器は、誘電体基板９０２の表面に形成されたストリップ導体９０１と、誘電体基板９０２の表面に形成された導体板９０３と、誘電体基板９０２の裏面に設けられた地導体９０４と、導体板９０３と地導体９０４を接続する接続導体９０６と、導波管９０７と、導波管９０７の一方の広壁面に設けられたスロット９０８とが設けられている。
【００２３】
また、図４に示すように、マイクロストリップ線路は入出力端９１０を有する。さらに、図５に示すように、導波管９０７は、入出力端９０９と、ショート面９１１を有する。
【００２４】
導波管９０７の入出力端９０９から入力された高周波信号は、スロット９０８を介してストリップ導体９０１と結合し、ストリップ導体９０１、導体板９０３及び地導体９０４から形成される地導体を有したコプレナー線路を介して、マイクロストリップ線路の入出力端９１０から出力される。
【００２５】
図６は、導波管断面の一方をショートした導波管においてＴＥ１０モードが伝搬している場合の、導波管広壁面上のある瞬間の電流分布を示す図である。
【００２６】
図６において、エッジ部９１２はショート面９１１と広壁面により形成される。図６のように、広壁面では、電流はエッジ部９１２に対して垂直に流れる。しかし、導波管９０７のショート面９１１からλｇ／２未満離れた位置では、エッジ部９１２に対して垂直ではなく、斜めに電流が流れる。したがって、λｇ／２未満離れた位置にスロット９０８を設けた場合、スロット９０８は広壁面に流れる電流を垂直ではなく斜めに遮断する。このことから、スロット９０８は効率よく励振することができず、ストリップ導体９０１との結合は弱い。以上のことから、図４に示す従来の導波管マイクロストリップ線路変換器は、この実施の形態１に係る導波管マイクロストリップ線路変換器と比べ狭帯域の特性となる。
【００２７】
また、従来の導波管マイクロストリップ線路変換器では、製造誤差によりショート面９１１とスロット９０８の距離がずれた場合、図６に示す導波管壁面での電流分布においてスロット９０８が遮断する電流が設計値と異なる。このため、製造誤差が存在する場合、スロット９０８は設計とは異なるように励振されるため、特性が劣化する。
【００２８】
一方、この実施の形態１に係る導波管マイクロストリップ線路変換器では、スロット１０８は、図３に示すように、導波管１０７の広壁面に対して垂直な方向（Ｘ方向）に対して電流が一様に流れるショート面１１１に設けたので、製造誤差によりスロット１０８の位置がずれても、スロット１０８が遮断する電流は設計値から変化しない。このため、スロット１０８は設計と同様に励振されるため、特性が劣化しない。つまり、この実施の形態１に係る導波管マイクロストリップ線路変換器を用いることで、製作誤差に対する特性のばらつきを抑えることができる。
【００２９】
なお、以上の説明では、導波管１０７の入出力端１０９から高周波信号を入力し、マイクロストリップ線路の入出力端１１０へ出力される場合について説明したが、マイクロストリップ線路の入出力端１１０から高周波信号を入力し、導波管１０７の入出力端１０９へ出力される場合も同様である。
【００３０】
また、この実施の形態１では、ストリップ導体１０１と導体板１０３は接続部１０５で接続されているが、図７のように接続しない場合も同様の効果が得られる。図７は、この発明の実施の形態１に係る別の構成の導波管マイクロストリップ線路変換器を上から見た平面を示す図である。
【００３１】
さらに、この実施の形態１では、導体板１０３が円形の場合を説明したが、これに限るものではなく、方形や多角形など他の形状でも良い。
【００３２】
この実施の形態１は、上述したように、マイクロストリップ線路を形成する誘電体基板１０２と管軸方向が垂直となるように導波管１０７を接続し、誘電体基板１０２の地導体１０４と導波管１０７が接する面、すなわち導波管１０７のショート面１１１にスロット１０８を設けると、導波管１０７のショート面１１１に流れる電流はショート面１１１の長手方向（Ｙ方向）と垂直な方向（Ｘ方向）では一定となり、かつ電流は導波管壁面を流れる電流の中で最大値となることから、スロット１０８は最も効率よく励振されるので、導波管モードとマイクロストリップ線路モードの結合を強くすることができる。また、導波管１０７のショート面１１１に流れる電流はショート面１１１の長手方向と垂直な方向では一定のため、製造誤差によりスロット１０８の位置が設計値とずれて配置されてもスロット１０８は設計値と同じように励振されるため、製造誤差に対するばらつきは小さい。つまり、製造誤差に対してばらつきが小さく、広帯域の特性を持った導波管マイクロストリップ線路変換器が得られる効果がある。
【００３３】
実施の形態２．
この発明の実施の形態２に係る導波管マイクロストリップ線路変換器について図８及び図９を参照しながら説明する。図８は、この発明の実施の形態２に係る導波管マイクロストリップ線路変換器を上から見た平面を示す図である。また、図９は、図８におけるＣ−Ｃ’線から見た断面を示す図である。
【００３４】
図８及び図９において、この発明の実施の形態２に係る導波管マイクロストリップ線路変換器の構成は、導体板１０３及びスロット１０８Ａを除き、上記の実施の形態１と同様である。スロット１０８Ａは、両端に屈曲部を有する形状（ＸＹ平面において、カタカナ文字の「コ」の字状）である。また、導体板１０３は、四角形（正方形）である。
【００３５】
つぎに、この実施の形態２に係る導波管マイクロストリップ線路変換器の動作について図面を参照しながら説明する。
【００３６】
この実施の形態２の動作は、上記の実施の形態１と同様である。ただし、スロット１０８Ａの形状が屈曲部を有する形状とすることで、スロット１０８Ａの長手方向（Ｙ方向）の長さを短くすることができる。このことから、実施の形態２では、スロット１０８Ａと導波管１０７の壁面の距離Ｌを大きく（長く）することができ、製作時に導波管１０７と誘電体基板１０２の位置ずれが存在しても導波管１０７の壁面がスロット１０８Ａと接触しないため、特性の劣化を抑えることができる効果がある。なお、屈曲部を有するスロット１０８Ａは、他の実施の形態にも適用できる。
【００３７】
実施の形態３．
この発明の実施の形態３に係る導波管マイクロストリップ線路変換器について図１０及び図１１を参照しながら説明する。図１０は、この発明の実施の形態３に係る導波管マイクロストリップ線路変換器を上から見た平面を示す図である。また、図１１は、図１０におけるＤ−Ｄ’線から見た断面を示す図である。
【００３８】
図１０及び図１１において、この発明の実施の形態３に係る導波管マイクロストリップ線路変換器の構成は、導体板１０３、ストリップ導体１０１Ａ、１０１Ｂ及び入出力端１１０Ａ、１１０Ｂを除き、上記の実施の形態１と同様である。ストリップ導体１０１Ａ、１０１Ｂは、２つあり、マイクロストリップ線路の入出力端１１０Ａ、１１０Ｂも２つある。また、導体板１０３は、四角形（正方形）である。
【００３９】
つぎに、この実施の形態３に係る導波管マイクロストリップ線路変換器の動作について図面を参照しながら説明する。
【００４０】
この実施の形態３の動作は、上記の実施の形態１と同様に、導波管１０７の入出力端１０９から入力された高周波信号はスロット１０８を励振し、そしてスロット１０８と２つのストリップ導体１０１Ａ、１０１Ｂは磁界結合することで、マイクロストリップ線路の入出力端１１０Ａ、１１０Ｂから同相で出力される。
【００４１】
以上のように、この実施の形態３では、導波管１０７の入力端が１つに対してマイクロストリップ線路の出力端が２つであり、分配器の機能を併せ持つ導波管マイクロストリップ線路変換器を実現できる効果がある。
【００４２】
なお、以上の説明では、導波管１０７の入出力端１０９から高周波信号を入力し、マイクロストリップ線路の入出力端１１０Ａ、１１０Ｂへ出力される場合について述べたが、マイクロストリップ線路の入出力端１１０Ａ、１１０Ｂから同相の高周波信号を入力し、導波管１０７の入出力端１０９へ出力される場合も同様である。
【００４３】
実施の形態４．
この発明の実施の形態４に係る導波管マイクロストリップ線路変換器について図１２から図１４までを参照しながら説明する。図１２は、この発明の実施の形態４に係る導波管マイクロストリップ線路変換器を上から見た平面を示す図である。また、図１３は、図１２におけるＥ−Ｅ’線から見た断面を示す図である。さらに、図１４は、この発明の実施の形態４に係る別の構成の導波管マイクロストリップ線路変換器を上から見た平面を示す図である。
【００４４】
図１２及び図１３において、この発明の実施の形態４に係る導波管マイクロストリップ線路変換器の構成は、導体板１０３、ストリップ導体１０１Ｃ、１０１Ｄ及び入出力端１１０Ｃ、１１０Ｄを除き、上記の実施の形態１と同様である。ストリップ導体１０１Ｃ、１０１Ｄは、２つあり、マイクロストリップ線路の入出力端１１０Ｃ、１１０Ｄも２つある。また、導体板１０３は、四角形（正方形）である。２つのストリップ導体１０１Ｃ、１０１Ｄと導体板１０３は接続部１０５により接続され、入出力端が３つの導波管マイクロストリップ線路変換器を構成している。
【００４５】
つぎに、この実施の形態４に係る導波管マイクロストリップ線路変換器の動作について図面を参照しながら説明する。
【００４６】
この実施の形態４の動作は、上記の実施の形態１と同様に、導波管１０７の入出力端１０９から入力された高周波信号はスロット１０８を励振し、そしてスロット１０８と２つのストリップ導体１０１Ｃ、１０１Ｄは磁界結合して、マイクロストリップ線路の入出力端１１０Ｃ、１１０Ｄから出力される。ただし、ストリップ導体１０１Ｃ、１０１Ｄはスロット１０８に対して逆方向で配置されるため、入出力端１１０Ｃと１１０Ｄからは逆相で出力される。
【００４７】
以上のように、この実施の形態４では、高周波信号が２つのマイクロストリップ線路から逆相で出力されるような、導波管マイクロストリップ線路変換器を実現できる効果がある。
【００４８】
なお、以上の説明では、導波管１０７の入出力端１０９から高周波信号を入力し、マイクロストリップ線路の入出力端１１０Ｃ、１１０Ｄへ出力される場合について説明したが、マイクロストリップ線路の入出力端１１０Ｃ、１１０Ｄから逆相の高周波信号を入力し、導波管１０７の入出力端１０９へ出力される場合も同様である。
【００４９】
また、この実施の形態４では、ストリップ導体１０１Ｃ、１０１Ｄと導体板１０３は接続部１０５で接続されているが、実施の形態４は断面Ｅ−Ｅ’に対して対称構造となっていることから、導波管１０７の入出力端１０９から入力した場合には断面Ｅ−Ｅ’は電気壁と等価となる。このことから、図１４のように、ストリップ導体１０１Ｃ、１０１Ｄを導体板１０３とは直接接続せずに接続部１０５で接続しても、電磁界的にはストリップ導体１０１Ｃ、１０１Ｄ、導体板１０３は接続されていることと同等である。以上のことから、図１４のような構造としても図１２の導波管マイクロストリップ線路変換器と同等の効果が得られる。
【００５０】
実施の形態５．
この発明の実施の形態５に係る導波管マイクロストリップ線路変換器について図１５から図１８までを参照しながら説明する。図１５は、この発明の実施の形態５に係る導波管マイクロストリップ線路変換器を上から見た平面を示す図である。また、図１６は、図１５におけるＦ−Ｆ’線から見た断面を示す図である。さらに、図１７及び図１８は、この発明の実施の形態５に係る別の構成の導波管マイクロストリップ線路変換器を上から見た平面を示す図である。
【００５１】
図１５及び図１６において、この発明の実施の形態５に係る導波管マイクロストリップ線路変換器の構成は、導体板１０３、ストリップ導体１０１Ｃ、１０１Ｄ、スロット１０８Ｂ、１０８Ｃ及び入出力端１１０Ｃ、１１０Ｄを除き、上記の実施の形態１と同様である。ストリップ導体１０１Ｃ、１０１Ｄは、２つあり、マイクロストリップ線路の入出力端１１０Ｃ、１１０Ｄも２つある。導波管１０７のショート面に設けられたスロット１０８Ｂ、１０８Ｃは、２つある。また、導体板１０３は、四角形（正方形）である。
【００５２】
つぎに、この実施の形態５に係る導波管マイクロストリップ線路変換器の動作について図面を参照しながら説明する。
【００５３】
この実施の形態５の動作は、上記の実施の形態１と同様に、導波管１０７の入出力端１０９から入力された高周波信号は２つのスロット１０８Ｂ、１０８Ｃを励振し、そしてスロット１０８Ｂ、１０８Ｃと２つのストリップ導体１０１Ｃ、１０１Ｄは磁界結合して、マイクロストリップ線路の入出力端１１０Ｃ、１１０Ｄから出力される。２つのスロット１０８Ｂ、１０８Ｃは同相で励振されるが、ストリップ導体１０１Ｃ、１０１Ｄはそれぞれスロット１０８Ｂ、１０８Ｃに対して逆方向で配置されるため、入出力端１１０Ｃと１１０Ｄからは逆相で出力される。
【００５４】
以上のように、この実施の形態５では、高周波信号がマイクロストリップ線路から逆相で出力されるような、導波管マイクロストリップ線路変換器を実現できる効果がある。
【００５５】
なお、以上の説明では、導波管１０７の入出力端１０９から高周波信号を入力し、マイクロストリップ線路の入出力端１１０Ｃ、１１０Ｄへ出力される場合について説明したが、マイクロストリップ線路の入出力端１１０Ｃ、１１０Ｄから逆相の高周波信号を入力し、導波管１０７の入出力端１０９へ出力される場合も同様である。
【００５６】
また、この実施の形態５では、ストリップ導体１０１Ｃ、１０１Ｄと導体板１０３は接続部１０５で直接接続されているが、図１７のように、ストリップ導体１０１Ｃ、１０１Ｄと導体板１０３を接続しない場合も同様の効果が得られる。
【００５７】
さらに、図１７ではＸＹ平面において上部と下部の導体板１０３は接続部１０５で接続されているが、断面Ｇ−Ｇ’に対して対称構造なため、導波管１０７の入出力端１０９から高周波信号を入力した場合には断面Ｇ−Ｇ’は電気壁と等価となる。このことから、ＸＹ平面において上部と下部の導体板１０３を接続部１０５で接続しなくても、電磁界的には接続されているため、図１８のように、ストリップ導体１０１Ｃ、１０１Ｄと導体板１０３を接続せず、かつＸＹ平面における上部と下部の導体板１０３を接続しない場合も同様の効果が得られる。
【図面の簡単な説明】
【００５８】
【図１】この発明の実施の形態１に係る導波管マイクロストリップ線路変換器を上から見た平面を示す図である。
【図２】図１におけるＡ−Ａ’線から見た断面を示す図である。
【図３】一般的なＴＥ１０モード励振され、一方がショートされている導波管のショート面のある瞬間の電流分布を示す図である。
【図４】従来の導波管マイクロストリップ線路変換器を上から見た平面を示す図である。
【図５】図４におけるＢ−Ｂ’線から見た断面を示す図である。
【図６】導波管断面の一方をショートした導波管においてＴＥ１０モードが伝搬している場合の、導波管広壁面上のある瞬間の電流分布を示す図である。
【図７】この発明の実施の形態１に係る別の構成の導波管マイクロストリップ線路変換器を上から見た平面を示す図である。
【図８】この発明の実施の形態２に係る導波管マイクロストリップ線路変換器を上から見た平面を示す図である。
【図９】図８におけるＣ−Ｃ’線から見た断面を示す図である。
【図１０】この発明の実施の形態３に係る導波管マイクロストリップ線路変換器を上から見た平面を示す図である。
【図１１】図１０におけるＤ−Ｄ’線から見た断面を示す図である。
【図１２】この発明の実施の形態４に係る導波管マイクロストリップ線路変換器を上から見た平面を示す図である。
【図１３】図１２におけるＥ−Ｅ’線から見た断面を示す図である。
【図１４】この発明の実施の形態４に係る別の構成の導波管マイクロストリップ線路変換器を上から見た平面を示す図である。
【図１５】この発明の実施の形態５に係る導波管マイクロストリップ線路変換器を上から見た平面を示す図である。
【図１６】図１５におけるＦ−Ｆ’線から見た断面を示す図である。
【図１７】この発明の実施の形態５に係る別の構成の導波管マイクロストリップ線路変換器を上から見た平面を示す図である。
【図１８】この発明の実施の形態５に係る別の構成の導波管マイクロストリップ線路変換器を上から見た平面を示す図である。
【符号の説明】
【００５９】
１０１  ストリップ導体、１０１Ａ  ストリップ導体、１０１Ｂ  ストリップ導体、１０１Ｃ  ストリップ導体、１０１Ｄ  ストリップ導体、１０２  誘電体基板、１０３  導体板、１０４  地導体、１０５  接続部、１０６  接続導体、１０７  導波管、１０８  スロット、１０８Ａ  スロット、１０８Ｂ  スロット、１０８Ｃ  スロット、１０９  入出力端、１１０  入出力端、１１０Ａ  入出力端、１１０Ｂ  入出力端、１１０Ｃ  入出力端、１１０Ｄ  入出力端、１１１  ショート面。
【図１】
2010056920.tif 000003
【図２】
2010056920.tif 000004
【図３】
2010056920.tif 000005
【図４】
2010056920.tif 000006
【図５】
2010056920.tif 000007
【図６】
2010056920.tif 000008
【図７】
2010056920.tif 000009
【図８】
2010056920.tif 000010
【図９】
2010056920.tif 000011
【図１０】
2010056920.tif 000012
【図１１】
2010056920.tif 000013
【図１２】
2010056920.tif 000014
【図１３】
2010056920.tif 000015
【図１４】
2010056920.tif 000016
【図１５】
2010056920.tif 000017
【図１６】
2010056920.tif 000018
【図１７】
2010056920.tif 000019
【図１８】
2010056920.tif 000020